(57)【要約】【課題】測定データの重複や欠落を招くことなく時刻補正する。【解決手段】外部装置からの現在時刻情報に基づいて現在時刻（７：００）に対する内部時計の遅れまたは進みの時間を示す第１の時間長（６分の遅れ）を特定し、内部時計が第１の時間長だけ遅れているときに時刻補正処理の開始時刻（６：５６）と時刻補正処理の後に実行すべき測定処理の開始時刻（７：００）との間の第２の時間長（４分）未満の第３の時間長（３分）だけ内部時計を進める処理を時刻補正処理として第１の時間長が予め規定された時間長以下となるまで所定回数（２回）に亘って実行し、内部時計が第１の時間長だけ進んでいるときに直前に実行した測定処理の開始時刻と時刻補正処理の開始時刻との間の第４の時間長未満の第５の時間長だけ内部時計を遅らせる処理を時刻補正処理として第１の時間長が予め規定された時間長以下となるまで所定回数に亘って実行する。【選択図】図４
2009020044.tif 000002
【特許請求の範囲】
【請求項１】
入力信号の電気的パラメータを測定する測定処理を実行する測定部と、内部時計と、外部装置から取得した現在時刻情報に基づいて前記内部時計の時刻を補正する時刻補正処理を実行すると共に前記測定部を制御して前記測定処理を実行させる制御部とを備えた測定装置であって、
前記制御部は、前記現在時刻情報に基づいて現在時刻に対する前記内部時計の時刻の遅れまたは進みの時間を示す第１の時間長を特定し、前記内部時計の時刻が前記第１の時間長だけ遅れているときに前記時刻補正処理の開始時刻と当該時刻補正処理の後に実行すべき前記測定処理の開始時刻との間の第２の時間長未満の第３の時間長だけ前記内部時計の時刻を進める処理を当該時刻補正処理として前記第１の時間長が予め規定された時間長以下となるまで所定回数に亘って実行し、前記内部時計の時刻が前記第１の時間長だけ進んでいるときに直前に実行した前記測定処理の開始時刻と前記時刻補正処理の開始時刻との間の第４の時間長未満の第５の時間長だけ前記内部時計の時刻を遅らせる処理を当該時刻補正処理として前記第１の時間長が前記予め規定された時間長以下となるまで所定回数に亘って実行する測定装置。
【請求項２】
前記制御部は、前記内部時計の時刻が遅れている状態であって前記第１の時間長が前記第２の時間長よりも短いときに当該第１の時間長を前記第３の時間長として規定して１回の前記時刻補正処理によって前記内部時計の時刻を補正し、前記内部時計の時刻が進んでいる状態であって前記第１の時間長が前記第４の時間長よりも短いときに当該第１の時間長を前記第５の時間長として規定して１回の前記時刻補正処理によって前記内部時計の時刻を補正し、前記内部時計の時刻が遅れている状態であって前記第１の時間長が前記第２の時間長よりも長いときに当該第１の時間長を当該第２の時間長で除して求められるＮ回（Ｎは、小数点以下を切り上げた２以上の自然数）の前記時刻補正処理によって前記内部時計の時刻を補正可能に前記第３の時間長を規定して当該Ｎ回の時刻補正処理によって前記内部時計の時刻を順次補正し、前記内部時計の時刻が進んでいる状態であって前記第１の時間長が前記第４の時間長よりも長いときに当該第１の時間長を当該第４の時間長で除して求められるＭ回（Ｍは、小数点以下を切り上げた２以上の自然数）の前記時刻補正処理によって前記内部時計の時刻を補正可能に前記第５の時間長を規定して当該Ｍ回の時刻補正処理によって前記内部時計の時刻を順次補正する請求項１記載の測定装置。
【請求項３】
請求項１または２記載の測定装置と、前記時刻補正処理の実行を指示する補正指令信号を前記測定装置に送信する管理装置を備え、
前記測定装置は、前記補正指令信号を受信したときに前記時刻補正処理を実行する測定システム。
【請求項４】
前記管理装置は、前記外部装置として機能して前記補正指令信号と共に前記現在時刻情報を前記測定装置に送信する請求項３記載の測定システム。
【発明の詳細な説明】
【技術分野】
【０００１】
本発明は、外部装置から取得した現在時刻情報に基づいて内部時計の時刻を補正する測定装置、およびその測定装置と管理装置とを備えた測定システムに関するものである。
【背景技術】
【０００２】
この種の測定装置を備えた測定システムとして、特開平７−１３１５４４号公報に遠隔監視システム（以下、「監視システム」ともいう）が開示されている。この監視システムは、指定時刻に監視対象体についての計測処理（測定処理）を実行可能に構成された複数のリモート装置（測定装置）と、各リモート装置を統括管理するセンタ装置とを備えて構成されている。この場合、各リモート装置は、計測処理によって取得した日報データ（測定対象体についての計測結果を計測時刻に関連付けたデータ）を記録するメモリを備え、センタ装置からの要求に応じて日報データをメモリから読み出してセンタ装置に送信する構成が採用されている。また、この監視システムでは、各リモート装置毎の時刻のばらつきを補正するために、センタ装置が、日報データの取得（送信要求）に際して各リモート装置に時刻データを送信し、リモート装置が、送信された時刻データに基づいて内部時計の時刻を補正する処理を実行可能に構成されている。
【０００３】
この場合、一例として、所定のリモート装置に対して例えば毎正時に計測処理（日報データの記録処理）を実行する旨が設定されている場合において、そのリモート装置の時刻が進んでいたために時刻補正処理によって前回の計測処理を実行した時刻（正時）よりも前の時刻に補正したときには、時刻補正処理後において、既に計測処理が完了して日報データが記録されている時刻（正時）についての計測処理が再び実行されて、日報データが重複して記録された状態となる。したがって、この監視システム（リモート装置）では、既に計測処理が完了している時刻よりも前の時刻に内部時計の時刻を遅らせる時刻補正が必要なときに、時刻補正処理を実行した後の計測処理時において、直前に実行した計測処理時に日報データを記録したアドレスに日報データを上書きすることで、同じ時刻（正時）についての日報データが重複して記録される事態を回避する構成が採用されている。
【０００４】
一方、リモート装置の時刻が遅れていたために時刻補正処理によって次回の計測処理を実行すべき時刻（正時）よりも後の時刻に補正したときには、計測処理が未実行の時刻（正時）が生じて日報データの欠落を招くこととなる。したがって、この監視システム（リモート装置）では、次回の計測処理の開始時刻よりも後の時刻に内部時計の時刻を進める時刻補正が必要なときに、時刻補正処理に先立って計測処理を実行して日報データをメモりに記録した後に時刻補正処理を実行することにより、日報データが欠落する事態を回避する構成が採用されている。このように、従来の監視システム（リモート装置）では、日報データの重複や欠落を招くことなく、各リモート装置の時刻とセンター装置の時刻とを一致させるように構成されている。
【特許文献１】特開平７−１３１５４４号公報（第３−４頁、第１−８図）
【発明の開示】
【発明が解決しようとする課題】
【０００５】
ところが、従来のリモート装置および監視システムには、以下の問題点が存在する。すなわち、従来のリモート装置では、時刻補正処理後の計測処理に際して日報データを上書きしたり、計測処理を実行して日報データを記録した後に時刻補正処理を実行したりすることで、日報データの重複や欠落を回避する構成が採用されている。しかしながら、従来のリモート装置では、センタ装置の時刻とリモート装置の時刻との間の時間長（リモート装置の時刻のずれ量）が過剰に長いとき（リモート装置における内部時計の時刻の遅れや進みが過剰に大きいとき）に、日報データの重複や欠落を招くという問題点がある。
【０００６】
具体的には、一例として、所定のリモート装置に対して５分間隔で計測処理を実行する旨の動作条件が設定され（計測処理を実行すべき時間間隔が５分の例）、かつ、このリモート装置が７分進んでいる状態において、例えば計測処理の完了直後にリモート装置を７分遅らせたときには、この時刻補正処理後に最初に実行される計測処理（「時刻補正処理の直前に実行された計測処理の５分前に実行された計測処理」と同じ時刻に対応して実行される計測処理）によって生成される日報データが、時刻補正処理の直前に実行された計測処理の日報データのアドレスに上書きされる。したがって、メモリ内には、上記の例における「時刻補正処理の５分前」に対応する時刻の日報データが重複して記録された状態となる。また、このリモート装置が１２分遅れている状態において、例えば計測処理の完了直後に時刻補正処理を実行する場合には、リモート装置を１２分進めることで未実施となる計測処理の回数が２回であるにも拘わらす、時刻補正処理の開始に先立って実行される計測処理が１回だけのため、上記の２回のうちのいずれか１回分の日報データが欠落した状態となる。
【０００７】
一方、この種の監視システム（測定システム）やリモート装置（測定装置）では、電源遮断時における測定データ（上記のリモート装置における日報データ）の消失を回避すべく、測定データを記録するメモリとして、不揮発性メモリ（一例として、フラッシュメモリ）が採用されることがある。この場合、フラッシュメモリは、測定データ等の記録データをブロック単位で読み書きする構成が採用されている。したがって、従来のリモート装置におけるメモリをフラッシュメモリで構成したときには、所望の日報データのみを上書きすることができないために、その日報データが記録されているブロック中のすべての日報データの読み出しおよび書き込みを実行する必要が生じる。このため、従来のリモート装置には、不揮発性メモリを採用したときに、日報データ（測定データ）の記録処理が煩雑化するという問題点がある。
【０００８】
本発明は、かかる解決すべき課題に鑑みてなされたものであり、測定データの重複や欠落を招くことなく、測定装置の時刻を正確に補正すると共に、記録処理の煩雑化を招くことなく各種のメモリに測定データを記録し得る測定装置および測定システムを提供することを主目的とする。
【課題を解決するための手段】
【０００９】
上記目的を達成すべく請求項１記載の測定装置は、入力信号の電気的パラメータを測定する測定処理を実行する測定部と、内部時計と、外部装置から取得した現在時刻情報に基づいて前記内部時計の時刻を補正する時刻補正処理を実行すると共に前記測定部を制御して前記測定処理を実行させる制御部とを備えた測定装置であって、  前記制御部は、前記現在時刻情報に基づいて現在時刻に対する前記内部時計の時刻の遅れまたは進みの時間を示す第１の時間長を特定し、前記内部時計の時刻が前記第１の時間長だけ遅れているときに前記時刻補正処理の開始時刻と当該時刻補正処理の後に実行すべき前記測定処理の開始時刻との間の第２の時間長未満の第３の時間長だけ前記内部時計の時刻を進める処理を当該時刻補正処理として前記第１の時間長が予め規定された時間長以下となるまで所定回数に亘って実行し、前記内部時計の時刻が前記第１の時間長だけ進んでいるときに直前に実行した前記測定処理の開始時刻と前記時刻補正処理の開始時刻との間の第４の時間長未満の第５の時間長だけ前記内部時計の時刻を遅らせる処理を当該時刻補正処理として前記第１の時間長が前記予め規定された時間長以下となるまで所定回数に亘って実行する。なお、本発明における「現在時刻情報」は、例えば「０７：００」のように「現在時刻を直接的に表す情報」のみならず、「１０秒の遅れが生じている」または「１０秒の進みが生じている」といった「現在時刻を特定し得る各種情報」がこれに含まれる。また、本発明における「所定回数」には１回が含まれる。
【００１０】
また、請求項２記載の測定装置は、請求項１記載の測定装置において、前記制御部が、前記内部時計の時刻が遅れている状態であって前記第１の時間長が前記第２の時間長よりも短いときに当該第１の時間長を前記第３の時間長として規定して１回の前記時刻補正処理によって前記内部時計の時刻を補正し、前記内部時計の時刻が進んでいる状態であって前記第１の時間長が前記第４の時間長よりも短いときに当該第１の時間長を前記第５の時間長として規定して１回の前記時刻補正処理によって前記内部時計の時刻を補正し、前記内部時計の時刻が遅れている状態であって前記第１の時間長が前記第２の時間長よりも長いときに当該第１の時間長を当該第２の時間長で除して求められるＮ回（Ｎは、小数点以下を切り上げた２以上の自然数）の前記時刻補正処理によって前記内部時計の時刻を補正可能に前記第３の時間長を規定して当該Ｎ回の時刻補正処理によって前記内部時計の時刻を順次補正し、前記内部時計の時刻が進んでいる状態であって前記第１の時間長が前記第４の時間長よりも長いときに当該第１の時間長を当該第４の時間長で除して求められるＭ回（Ｍは、小数点以下を切り上げた２以上の自然数）の前記時刻補正処理によって前記内部時計の時刻を補正可能に前記第５の時間長を規定して当該Ｍ回の時刻補正処理によって前記内部時計の時刻を順次補正する。
【００１１】
また、請求項３記載の測定システムは、請求項１または２記載の測定装置と、前記時刻補正処理の実行を指示する補正指令信号を前記測定装置に送信する管理装置を備え、前記測定装置が、前記補正指令信号を受信したときに前記時刻補正処理を実行する。
【００１２】
また、請求項４記載の測定システムは、請求項３記載の測定システムにおいて、前記管理装置が、前記外部装置として機能して前記補正指令信号と共に前記現在時刻情報を前記測定装置に送信する。
【発明の効果】
【００１３】
請求項１記載の測定装置では、制御部が、現在時刻に対する内部時計の時刻の遅れまたは進みの時間を示す第１の時間長を特定し、内部時計の時刻が第１の時間長だけ遅れているときに時刻補正処理の開始時刻と時刻補正処理の後に実行すべき測定処理の開始時刻との間の第２の時間長未満の第３の時間長だけ内部時計の時刻を進める処理を時刻補正処理として第１の時間長が予め規定された時間長以下となるまで所定回数に亘って実行し、内部時計の時刻が第１の時間長だけ進んでいるときに直前に実行した測定処理の開始時刻と時刻補正処理の開始時刻との間の第４の時間長未満の第５の時間長だけ内部時計の時刻を遅らせる処理を時刻補正処理として第１の時間長が予め規定された時間長以下となるまで所定回数に亘って実行する。
【００１４】
したがって、請求項１記載の測定装置によれば、現在時刻に対して内部時計の時刻が第１の時間長だけ遅れているとき、および現在時刻に対して内部時計の時刻が第１の時間長だけ進んでいるときのいずれの場合であっても、この第２の時間または第４の時間を超えて内部時計の時刻が補正されることがないため、従来のリモート装置とは異なり、測定データ（日報データ）の上書きや、時刻補正処理に先立って測定処理を実行することなく、測定データ複や欠落を回避しつつ、内部時計の時刻を現在時刻に対する予め規定された時間長以下の時差範囲内に補正することができる。これにより、この測定装置によれば、測定データを記録するためのメモリに、ブロック単位での読み書きが必要なフラッシュメモリを採用した場合であっても、測定データの記録処理を容易に実行することができる。
【００１５】
また、請求項２記載の測定装置では、制御部が、内部時計の時刻が遅れている状態であって第１の時間長が第２の時間長よりも短いときに第１の時間長を第３の時間長として規定して１回の時刻補正処理によって内部時計の時刻を補正し、内部時計の時刻が進んでいる状態であって第１の時間長が第４の時間長よりも短いときに第１の時間長を第５の時間長として規定して１回の時刻補正処理によって内部時計の時刻を補正し、内部時計の時刻が遅れている状態であって第１の時間長が第２の時間長よりも長いときに第１の時間長を第２の時間長で除して求められるＮ回の時刻補正処理によって内部時計の時刻を補正可能に第３の時間長を規定してＮ回の時刻補正処理によって内部時計の時刻を順次補正し、内部時計の時刻が進んでいる状態であって第１の時間長が第４の時間長よりも長いときに第１の時間長を第４の時間長で除して求められるＭ回の時刻補正処理によって内部時計の時刻を補正可能に第５の時間長を規定してＭ回の時刻補正処理によって内部時計の時刻を順次補正する。
【００１６】
したがって、請求項２記載の測定装置によれば、現在時刻に対して内部時計の時刻が第１の時間長だけ遅れているとき、および現在時刻に対して内部時計の時刻が第１の時間長だけ進んでいるときのいずれの場合であっても、第１の時間長に応じた最も少ない回数の時刻補正処理によって内部時計の時刻を現在時刻に対する予め規定された時間長以下の時差範囲内に補正することができる。
【００１７】
また、請求項３記載の測定システムによれば、測定装置と、時刻補正処理の実行を指示する補正指令信号を測定装置に送信する管理装置を備えて、測定装置が、補正指令信号を受信したときに時刻補正処理を実行することにより、測定システム内の複数の測定装置（内部時計）を任意のタイミング（例えば、ほぼ同じタイミング）で管理装置の時刻に一致させる（予め規定された時刻長以下のずれ量とする）ことができる。
【００１８】
さらに、請求項４記載の測定システムによれば、管理装置が、外部装置として機能して補正指令信号と共に現在時刻情報を測定装置に送信することにより、各測定装置が汎用のタイムサーバ等に接続できない状態であっても、管理装置から現在時刻データを取得させて、各測定装置（内部時計）の時刻をほぼ同一の時刻に一致させることができる。
【発明を実施するための最良の形態】
【００１９】
以下、本発明に係る測定装置および測定システムの最良の形態について、添付図面を参照して説明する。
【００２０】
最初に、遠隔監視システム１０および波形記録装置１の構成について、図面を参照して説明する。
【００２１】
図１に示す遠隔監視システム（以下、「監視システム」ともいう）１０は、本発明に係る測定システムの一例であって、複数の波形記録装置１と、管理装置１１とを備えて、各波形記録装置１がネットワークＮ（ＬＡＮ、ＷＡＮまたは専用通信網など）を介して管理装置１１に接続されている。なお、同図では、本発明についての理解を容易とするために、４台の波形記録装置１を管理装置１１に接続した状態を図示しているが、１つの監視システム１０内において管理装置１１に接続する波形記録装置１の数はこれに限定されず、増減することができる。
【００２２】
波形記録装置１は、本発明に係る測定装置の一例であって、測定部２、ストレージコントローラ３、ストレージメモリ４、トリガ信号出力回路５、操作部６、通信部７、ＲＴＣ（Real Time Clock ）８およびＣＰＵ９を備えて構成されている。測定部２は、入力信号Ｓｉを増幅するアンプや入力信号Ｓｉをアナログ−デジタル変化処理するＡ／Ｄ変換部等（共に図示せず）を備えて構成されて、入力信号Ｓｉの電気的パラメータ（電圧、周波数、位相など）を測定して測定データＤｓ（入力信号Ｓｉのデジタルデータ）を出力する（本発明における測定処理の一例）。ストレージコントローラ３は、ＣＰＵ９の制御に従い、ストレージメモリ４に対する測定データＤｓの記録処理、およびストレージメモリ４からの測定データＤｓの読出し処理を実行する。ストレージメモリ４は、一例として、フラッシュメモリで構成されて、上記したように、ストレージコントローラ３の制御に従い、ストレージコントローラ３によって転送された測定データＤｓを記録する。
【００２３】
トリガ信号出力回路５は、一例として、ＦＰＧＡ（Field Programmable Gate Array ）およびトリガ検出器（図示せず）を備えると共に、上記のＦＰＧＡ内に図示しない論理処理回路が構築されて構成されている。この場合、トリガ検出器は、測定部２から出力された測定データＤｓの電気的パラメータと、後述するようにして予め設定された比較値や比較範囲との比較結果に基づいてトリガ検出信号（レベルトリガ信号）を論理処理回路に出力する。また、論理処理回路は、後述するように測定処理の開始時刻においてＣＰＵ９からタイマトリガ信号Ｓｔｔが出力されると共に、入力信号Ｓｉの電気的パラメータが所定レベルを超えてトリガ検出器から上記のトリガ検出信号が出力されたときに、ストレージコントローラ３に対してトリガ信号Ｓｔを出力する。
【００２４】
操作部６は、測定開始スイッチや測定条件設定用の各種の操作スイッチを備え、これらのスイッチ操作に応じた操作信号をＣＰＵ９に出力する。通信部７は、ネットワークＮを介して管理装置１１に波形記録装置１を接続可能に構成されている。この通信部７は、後述するようにして管理装置１１から出力された補正指令信号Ｓ２を受信してＣＰＵ９に出力する（転送する）と共に、ＣＰＵ９の制御に従ってストレージメモリ４に記録されている測定データＤｓを管理装置１１に出力（送信）する。ＲＴＣ８は、本発明における内部時計に相当し、一例として、一次電池を電源として備えて継続的に時刻を刻んで、その時刻を特定させるための計時信号Ｓ１をＣＰＵ９に出力する。
【００２５】
ＣＰＵ９は、本発明における制御部に相当し、波形記録装置１を統括的に制御する。具体的には、ＣＰＵ９は、操作部６から出力される操作信号やＲＴＣ８から出力される計時信号Ｓ１に従って、測定部２、ストレージコントローラ３およびトリガ信号出力回路５を制御して、入力信号Ｓｉについての測定処理（測定データＤｓのストレージメモリ４に対する記録処理）を実行させる。この場合、ＣＰＵ９は、ＲＴＣ８から出力される計時信号Ｓ１に基づき、予め設定された測定処理の開始時刻が到来したときにタイマトリガ信号Ｓｔｔをトリガ信号出力回路５に出力する。また、ＣＰＵ９は、通信部７を介して転送された補正指令信号Ｓ２に従ってＲＴＣ８の時刻を補正する時刻補正処理を実行する。
【００２６】
一方、管理装置１１は、本発明における外部装置の一例であって、記録装置１２、タイムサーバ１３および制御装置１４を備えて構成されている。記録装置１２は、一例としてハードディスクドライブ装置等の大容量記録装置で構成されて、各波形記録装置１からネットワークＮを介して送信された測定データＤｓを制御装置１４の制御に従って記録する。タイムサーバ１３は、ＮＴＰ（Network Time Protocol ）サーバ、または、これに準じた仕様のサーバで構成されて、制御装置１４からの要求に応じて計時信号Ｓ１１を出力する。制御装置１４は、記録装置１２による測定データＤｓの記録処理を制御すると共に、予め設定された補正指令実行時刻（一例として、毎日０７：００）に監視システム１０内の各波形記録装置１に対して補正指令信号Ｓ２を出力（送信）する。この場合、補正指令信号Ｓ２は、各波形記録装置１に対して時刻補正処理の実行を指示する指示コマンドと、タイムサーバ１３から取得した現在時刻（計時信号Ｓ１１に基づいて特定される現在時刻）を特定可能な現在時刻情報を含んで構成されている。
【００２７】
次に、各波形記録装置１によって実行される測定処理および時刻補正処理について、図面を参照して説明する。
【００２８】
この監視システム１０では、監視システム１０内の各波形記録装置１（管理装置１１に接続されている各波形記録装置１）毎の時刻のばらつきを十分に小さくするために、上記したように、一例として、管理装置１１が毎朝０７：００に補正指令信号Ｓ２を各波形記録装置１に送信して、各波形記録装置１内のＲＴＣ８の時刻（以下、「装置側時刻」ともいう）を管理装置１１内のタイムサーバ１３の時刻（以下、「現在時刻」ともいう）に対して例えば±１０秒の範囲内（本発明における「予め規定された時間長」が「１０秒」の例）となるように補正する構成が採用されている。以下、測定処理の時間間隔や、管理装置１１の時刻と波形記録装置１の時刻との間の時間長が相違する各種の事例を挙げて、この監視システム１０における時刻補正処理および測定処理の実施形態について説明する。なお、以下の説明において「時刻が一致した」との状態は、本発明における「予め規定された時間長」が上記の例における±１０秒以下の範囲となった状態を意味する。また、本発明についての理解を容易とするために、１分単位または３０秒単位で各種の処理を実行する例を説明する。
【００２９】
第１の事例では、所定の波形記録装置１に対して、一例として、「装置側時刻が毎時３０分の時点において測定処理を実行する」との動作条件と、「管理装置１１から補正指令信号Ｓ２が送信されたときに、装置側時刻が遅れている場合および進んでいる場合のいずれであっても、補正指令信号Ｓ２の受信から５分が経過した時点において時刻補正処理を実行する」との動作条件とが設定されると共に、図２に示すように、この波形記録装置１（ＲＴＣ８）の装置側時刻が管理装置１１（タイムサーバ１３）の現在時刻に対して２分遅れているものとする。この事例では、同図に示す時点ｔ１ａ（現在時刻が０７：００で、装置側時刻が０６：５８の時点）において管理装置１１の制御装置１４からネットワークＮを介して補正指令信号Ｓ２が送信される。
【００３０】
この際に、波形記録装置１のＣＰＵ９は、通信部７を介して補正指令信号Ｓ２を受信したときに、ＲＴＣ８から取得した計時信号Ｓ１と、補正指令信号Ｓ２に含まれている現在時刻情報とに基づき、装置側時刻が現在時刻に対して２分遅れている（本発明における第１の時間長の相当する時間長Ｔｘａが２分の例）と特定する。また、ＣＰＵ９は、時刻補正処理の開始時刻が補正指令信号Ｓ２を受信した時点ｔ１ａ（装置側時刻＝０６：５８）の５分後である時点ｔ２ａ（装置側時刻＝０７：０３）と特定し、この開始時刻（時点ｔ２ａ）と、この補正処理の後に実行すべき次回の測定処理の開始時刻（この例では、装置側時刻＝０７：３０：時点ｔ３ａ）との間の時間長（本発明における第２の時間長：この例では、２７分）を演算する。次いで、ＣＰＵ９は、現在時刻に対する装置側時刻の遅れ（第１の時間長＝時間長Ｔｘａ＝２分）が、時刻補正処理の開始時刻（時点ｔ２ａ）と、次回の測定処理の開始時刻（時点ｔ３ａ）との間の時間長（第２の時間長＝２７分）よりも短いと判別し、時点ｔ２ａにおいてＲＴＣ８の時刻を進める（補正する）時間長（本発明における第３の時間長）を遅れ時間と等しい時間の２分と規定する。
【００３１】
また、ＣＰＵ９は、ＲＴＣ８からの計時信号Ｓ１に基づき、装置側時刻が０７：０３となった時点ｔ２ａにおいて、ＲＴＣ８を制御して装置側時刻を０７：０５に補正させる。これにより、この１回の時刻補正処理によって装置側時刻が現在時刻に一致した状態となる。この後、ＣＰＵ９は、補正後のＲＴＣ８によって出力される計時信号Ｓ１に基づき、装置側時刻が０７：３０となった時点ｔ３ａにおいて、トリガ信号出力回路５にタイマトリガ信号Ｓｔｔを出力する。この際に、トリガ信号出力回路５では、前述したトリガ検出器が測定部２から出力されている測定データＤｓの電気的パラメータ（一例として、電圧値）が設定されたレベルを超えたときにトリガ検出信号（レベルトリガ信号）を論理処理回路に出力し、論理処理回路がストレージコントローラ３にトリガ信号Ｓｔを出力する。これに応じて、ストレージコントローラ３が、トリガ信号Ｓｔの出力時点において測定部２から出力されている測定データＤｓをストレージメモリ４に記録させる。これにより、装置側時刻および現在時刻の双方が０７：３０の時点ｔ３ａにおいて実行すべき測定処理（測定データＤｓの記録処理）が完了する。
【００３２】
第２の事例では、一例として、所定の波形記録装置に対して、上記の第１の事例と同様の動作条件が設定されると共に、図３に示すように、装置側時刻が現在時刻に対して２分進んでいるものとする。この事例では、同図に示す時点ｔ１ｂ（現在時刻が０７：００で、装置側時刻が０７：０２の時点）において管理装置１１から補正指令信号Ｓ２が送信された際に、波形記録装置１のＣＰＵ９が、ＲＴＣ８から取得した計時信号Ｓ１と、補正指令信号Ｓ２に含まれている現在時刻情報とに基づき、装置側時刻が現在時刻に対して２分進んでいる（本発明における第１の時間長の相当する時間長Ｔｘｂが２分の例）と特定する。また、ＣＰＵ９は、時刻補正処理の開始時刻が補正指令信号Ｓ２を受信した時点ｔ１ｂ（装置側時刻＝０７：０２）の５分後である時点ｔ２ｂ（装置側時刻＝０７：０７）と特定すると共に、直前に実行した測定処理の開始時刻（この例では、装置側時刻＝０６：３０）と、時刻補正処理の開始時刻（この例では、装置側時刻＝０７：０７＝時点ｔ２ｂ）との間の時間長（本発明における第４の時間長：この例では、３７分）を演算する。
【００３３】
次いで、ＣＰＵ９は、現在時刻に対する装置側時刻の進み（第１の時間長＝時間長Ｔｘｂ＝２分）が、直前に実行した測定処理の開始時刻（装置側時刻＝６：３０）と時刻補正処理の開始時刻（装置側時刻が０７：０７）との間の時間長（第４の時間長＝３７分）よりも短いと判別し、時点ｔ２ｂにおいてＲＴＣ８の時刻を遅らせる（補正する）時間長（本発明における第５の時間長）を進み時間と等しい時間の２分と規定する。また、ＣＰＵ９は、ＲＴＣ８からの計時信号Ｓ１に基づき、装置側時刻が０７：０７となった時点ｔ２ｂにおいて、ＲＴＣ８を制御して装置側時刻を０７：０５に補正させる。これにより、この１回の時刻補正処理によって装置側時刻が現在時刻に一致した状態となる。この後、ＣＰＵ９は、補正後のＲＴＣ８によって出力される計時信号Ｓ１に基づき、装置側時刻が０７：３０となった時点ｔ３ｂにおいて、タイマトリガ信号Ｓｔｔを出力する。これにより、上記した測定処理時と同様にして、ストレージコントローラ３が、トリガ信号Ｓｔの出力時点において測定部２から出力されている測定データＤｓをストレージメモリ４に記録させる。これにより、装置側時刻および現在時刻の双方が０７：３０の時点ｔ３ｂにおいて実行すべき測定処理（測定データＤｓの記録処理）が完了する。
【００３４】
第３の事例では、所定の波形記録装置に対して、一例として、「５分毎に測定処理を実行する」との動作条件と、「管理装置１１から補正指令信号Ｓ２が送信されたときに、装置側時刻が遅れている場合には補正指令信号Ｓ２の受信から１分が経過した時点において時刻補正処理を実行し、装置側時刻が進んでいる場合には補正指令信号Ｓ２の受信から３分が経過した時点において時刻補正処理を実行する」との動作条件とが設定されると共に、図４に示すように、現在時刻に対して装置側時刻が６分遅れているものとする。この事例では、同図に示す時点ｔ１ｃ（現在時刻が０７：００で、装置側時刻が０６：５４の時点）において管理装置１１から補正指令信号Ｓ２が送信された際に、ＣＰＵ９が、計時信号Ｓ１と、補正指令信号Ｓ２に含まれている現在時刻情報とに基づき、装置側時刻が現在時刻に対して６分遅れている（本発明における第１の時間長の相当する時間長Ｔｘｃが６分の例）と特定する。また、ＣＰＵ９は、補正指令信号Ｓ２を受信した時点ｔ１ｃ（装置側時刻＝０６：５４）の１分後の時点ｔ２ｃ（装置側時刻＝０６：５５）において測定処理を開始する必要があるため、この例では、この測定処理の開始時刻（時点ｔ２ｃ）の１分後である時点ｔ３ｃ（装置側時刻＝０６：５６）を時刻補正処理の開始時刻と特定する。
【００３５】
さらに、ＣＰＵ９は、時刻補正処理の開始時刻（装置側時刻＝０６：５６＝時点ｔ３ｃ）と、その後に実行すべき最初の測定処理の開始時刻（この例では、装置側時刻＝０７：００＝時点ｔ４ｃ）との間の時間長（本発明における第２の時間長：この例では、４分）を演算する。次いで、ＣＰＵ９は、現在時刻に対する装置側時刻の遅れ（第１の時間長＝時間長Ｔｘｃ＝６分）が、時刻補正処理の開始時刻（時点ｔ３ｃ）と、その後の最初の測定処理の開始時刻（時点ｔ４ｃ）との間の時間長（第２の時間長＝４分）よりも長いと判別し、装置側時刻の遅れ（第１の時間長：この例では、６分）を上記の第２の時間長（４分）で除して小数点以下を切り上げることで、時刻補正処理の実行回数を２回と演算する（本発明における「求められたＮ回」が「２回」の例）。また、ＣＰＵ９は、２回の時刻補正処理によって６分の遅れを補正するために、１回の時刻補正処理においてＲＴＣ８の時刻を進める（補正する）時間長（本発明における第３の時間長）を３分（６分／２回）と規定する。
【００３６】
また、ＣＰＵ９は、ＲＴＣ８によって出力される計時信号Ｓ１に基づき、装置側時刻が０６：５５となった時点ｔ２ｃにおいて、タイマトリガ信号Ｓｔｔを出力する。これにより、トリガ信号Ｓｔの出力時点において測定部２から出力されている測定データＤｓがストレージメモリ４に記録される。また、ＣＰＵ９は、ＲＴＣ８からの計時信号Ｓ１に基づき、装置側時刻が０６：５６となった時点ｔ３ｃにおいて、ＲＴＣ８を制御して装置側時刻を０６：５９に補正させる（Ｎ＝２回の時刻補正処理のうちの最初の１回）。これにより、現在時刻に対する装置側時刻の遅れが３分となる。次いで、次の測定処理を開始すべき時点ｔ４ｃ（この例では、装置側時刻が０７：００の時点）において、ＣＰＵ９は、タイマトリガ信号Ｓｔｔを出力する。これにより、その時点において測定部２から出力されている測定データＤｓがストレージメモリ４に記録される。
【００３７】
また、ＣＰＵ９は、装置側時刻が０７：０１となった時点ｔ５ｃ（直前の測定処理の開始時刻から１分が経過した時点）において、ＲＴＣ８を制御して装置側時刻を０７：０４に補正させる（Ｎ＝２回の時刻補正処理のうちの最後の１回）。これにより、装置側時刻が現在時刻に一致した状態となる。この後、ＣＰＵ９は、補正後のＲＴＣ８によって出力される計時信号Ｓ１に基づき、装置側時刻が０７：０５となった時点ｔ６ｃにおいて、タイマトリガ信号Ｓｔｔを出力する。これにより、トリガ信号Ｓｔの出力時点において測定部２から出力されている測定データＤｓがストレージメモリ４に記録されて、装置側時刻および現在時刻の双方が０７：０５の時点ｔ６ｃにおいて実行すべき測定処理（測定データＤｓの記録処理）が完了する。
【００３８】
第４の事例では、一例として、所定の波形記録装置に対して、上記の第３の事例と同様の動作条件が設定されると共に、図５に示すように、現在時刻に対して装置側時刻が６分進んでいるものとする。この事例では、同図に示す時点ｔ１ｄ（現在時刻が０７：００で、装置側時刻が０７：０６の時点）において管理装置１１から補正指令信号Ｓ２が送信された際に、ＣＰＵ９が、計時信号Ｓ１と、補正指令信号Ｓ２に含まれている現在時刻情報とに基づき、装置側時刻が現在時刻に対して６分進んでいる（本発明における第１の時間長の相当する時間長Ｔｘｄが６分の例）と特定する。また、ＣＰＵ９は、補正指令信号Ｓ２を受信した時点ｔ１ｄ（装置側時刻＝０７：０６）の３分後の時点ｔ２ｄ（装置側時刻＝０７：０９）を時刻補正処理の開始時刻と特定する。
【００３９】
さらに、ＣＰＵ９は、直前に実行した測定処理の開始時刻（この例では、装置側時刻＝０７：０５）と、時刻補正処理の開始時刻（この例では、装置側時刻＝０７：０９＝時点ｔ２ｄ）との間の時間長（本発明における第４の時間長：この例では、４分）を演算する。次いで、ＣＰＵ９は、現在時刻に対する装置側時刻の進み（第１の時間長＝時間長Ｔｘｄ＝６分）が、時刻補正処理の開始時刻（時点ｔ２ｄ）と、直前に実行した測定処理の開始時刻（装置側時刻＝０７：０５）との間の時間長（第４の時間長＝４分）よりも長いと判別し、装置側時刻の進み（第１の時間長：この例では、６分）を上記の第４の時間長（４分）で除して小数点以下を切り上げることで、時刻補正処理の実行回数を２回と演算する（本発明における「求められたＭ回」が「２回」の例）。また、ＣＰＵ９は、２回の時刻補正処理によって６分の進みを補正するために、１回の時刻補正処理においてＲＴＣ８の時刻を遅らせる（補正する）時間長（本発明における第５の時間長）を３分（６分／２回）と規定する。
【００４０】
また、ＣＰＵ９は、ＲＴＣ８からの計時信号Ｓ１に基づき、装置側時刻が０７：０９となった時点ｔ２ｄにおいて、ＲＴＣ８を制御して装置側時刻を０７：０６に補正させる（Ｍ＝２回の時刻補正処理のうちの最初の１回）。これにより、現在時刻に対する装置側時刻の進みが３分となる。また、ＣＰＵ９は、ＲＴＣ８によって出力される計時信号Ｓ１に基づき、装置側時刻が０７：１０となった時点ｔ３ｄにおいて、タイマトリガ信号Ｓｔｔを出力する。これにより、トリガ信号Ｓｔの出力時点において測定部２から出力されている測定データＤｓがストレージメモリ４に記録される。次いで、ＣＰＵ９は、装置側時刻が０７：１４となった時点ｔ４ｄにおいて、ＲＴＣ８を制御して装置側時刻を０７：１１に補正させる（Ｍ＝２回の時刻補正処理のうちの最後の１回）。これにより、装置側時刻が現在時刻に一致した状態となる。この後、ＣＰＵ９は、補正後のＲＴＣ８によって出力される計時信号Ｓ１に基づき、装置側時刻が０７：１５となった時点ｔ５ｄにおいて、タイマトリガ信号Ｓｔｔを出力する。これにより、トリガ信号Ｓｔの出力時点において測定部２から出力されている測定データＤｓがストレージメモリ４に記録されて、装置側時刻および現在時刻の双方が０７：１５の時点ｔ５ｃにおいて実行すべき測定処理（測定データＤｓの記録処理）が完了する。
【００４１】
第５の事例では、所定の波形記録装置に対して、一例として、「５分毎に測定処理を実行する」との動作条件と、「管理装置１１から補正指令信号Ｓ２が送信されたときに、装置側時刻が遅れている場合には次回の測定処理の開始時刻から３０秒が経過した時点において時刻補正処理を実行し、装置側時刻が進んでいる場合には次回の測定処理の開始時刻の３０秒前に時刻補正処理を実行する」との動作条件とが設定されると共に、図６に示すように、現在時刻に対して装置側時刻が１２分遅れているものとする。この事例では、同図に示す時点ｔ１ｅ（現在時刻が０７：００で、装置側時刻が０６：４８の時点）において管理装置１１から補正指令信号Ｓ２が送信された際に、ＣＰＵ９が、計時信号Ｓ１と、補正指令信号Ｓ２に含まれている現在時刻情報とに基づき、装置側時刻が現在時刻に対して１２分遅れている（本発明における第１の時間長の相当する時間長Ｔｘｅが１２分の例）と特定する。また、ＣＰＵ９は、次回の測定処理の開始時刻（装置側時刻＝０６：５０＝時点ｔ２ｅ）から３０秒が経過した時点ｔ３ｅ（装置側時刻＝０６：５０：３０）を時刻補正処理の開始時刻と特定する。
【００４２】
さらに、ＣＰＵ９は、時刻補正処理の開始時刻（装置側時刻＝０６：５０：３０＝時点ｔ３ｅ）と、その後に実行すべき最初の測定処理の開始時刻（この例では、装置側時刻＝０６：５５＝時点ｔ４ｅ）との間の時間長（本発明における第２の時間長：この例では、４分３０秒）を演算する。次いで、ＣＰＵ９は、現在時刻に対する装置側時刻の遅れ（第１の時間長＝時間長Ｔｘｅ＝１２分）が、時刻補正処理の開始時刻（時点ｔ３ｅ）と、その後の最初の測定処理の開始時刻（時点ｔ４ｅ）との間の時間長（第２の時間長＝４分３０秒）よりも長いと判別し、装置側時刻の遅れ（第１の時間長：この例では、１２分）を上記の第２の時間長（４分３０秒）で除して小数点以下を切り上げることで、時刻補正処理の実行回数を３回と演算する（本発明における「求められたＮ回」が「３回」の例）。また、ＣＰＵ９は、３回の時刻補正処理によって１２分の遅れを補正するために、１回の時刻補正処理においてＲＴＣ８の時刻を進める（補正する）時間長（本発明における第３の時間長）を４分（１２分／３回）と規定する。
【００４３】
また、ＣＰＵ９は、ＲＴＣ８によって出力される計時信号Ｓ１に基づき、装置側時刻が０６：５０となった時点ｔ２ｅにおいて、タイマトリガ信号Ｓｔｔを出力する。これにより、トリガ信号Ｓｔの出力時点において測定部２から出力されている測定データＤｓがストレージメモリ４に記録される。また、ＣＰＵ９は、ＲＴＣ８からの計時信号Ｓ１に基づき、装置側時刻が０６：５０：３０となった時点ｔ３ｅ（直前の測定処理の開始時刻から３０秒が経過した時点）において、ＲＴＣ８を制御して装置側時刻を０６：５４：３０に補正させる（Ｎ＝３回の時刻補正処理のうちの最初の１回）。これにより、現在時刻に対する装置側時刻の遅れが８分となる。次いで、次の測定処理を開始すべき時点ｔ４ｅ（この例では、装置側時刻が０６：５５の時点）において、ＣＰＵ９は、タイマトリガ信号Ｓｔｔを出力する。これにより、その時点において測定部２から出力されている測定データＤｓがストレージメモリ４に記録される。また、ＣＰＵ９は、ＲＴＣ８からの計時信号Ｓ１に基づき、装置側時刻が０６：５５：３０となった時点ｔ５ｅ（直前の測定処理の開始時刻から３０秒が経過した時点）において、ＲＴＣ８を制御して装置側時刻を０６：５９：３０に補正させる（Ｎ＝３回の時刻補正処理のうちの２回目）。これにより、現在時刻に対する装置側時刻の遅れが４分となる。
【００４４】
次いで、次の測定処理を開始すべき時点ｔ６ｅ（この例では、装置側時刻が０７：００の時点）において、ＣＰＵ９は、タイマトリガ信号Ｓｔｔを出力する。これにより、その時点において測定部２から出力されている測定データＤｓがストレージメモリ４に記録される。また、ＣＰＵ９は、装置側時刻が０７：００：３０となった時点ｔ７ｅ（直前の測定処理の開始時刻から３０秒が経過した時点）において、ＲＴＣ８を制御して装置側時刻を０７：０４：３０に補正させる（Ｎ＝３回の時刻補正処理のうちの最後の１回）。これにより、装置側時刻が現在時刻に一致した状態となる。この後、ＣＰＵ９は、補正後のＲＴＣ８によって出力される計時信号Ｓ１に基づき、装置側時刻が０７：０５となった時点ｔ８ｅにおいて、タイマトリガ信号Ｓｔｔを出力する。これにより、トリガ信号Ｓｔの出力時点において測定部２から出力されている測定データＤｓがストレージメモリ４に記録されて、装置側時刻および現在時刻の双方が０７：０５の時点ｔ８ｅにおいて実行すべき測定処理（測定データＤｓの記録処理）が完了する。
【００４５】
第６の事例では、一例として、所定の波形記録装置に対して、上記の第５の事例と同様の動作条件が設定されると共に、図７に示すように、現在時刻に対して装置側時刻が１２分進んでいるものとする。この事例では、同図に示す時点ｔ１ｆ（現在時刻が０７：００で、装置側時刻が０７：１２の時点）において管理装置１１から補正指令信号Ｓ２が送信された際に、ＣＰＵ９が、計時信号Ｓ１と、補正指令信号Ｓ２に含まれている現在時刻情報とに基づき、装置側時刻が現在時刻に対して１２分進んでいる（本発明における第１の時間長の相当する時間長Ｔｘｆが１２分の例）と特定する。また、ＣＰＵ９は、次回の測定処理の開始時刻（装置側時刻＝０７：１５＝時点ｔ３ｆ）の３０秒前の時点ｔ２ｆ（装置側時刻＝０７：１４：３０）を時刻補正処理の開始時刻と特定する。
【００４６】
さらに、ＣＰＵ９は、直前に実行した測定処理の開始時刻（この例では、装置側時刻＝０７：１０）と、時刻補正処理の開始時刻（この例では、装置側時刻＝０７：１４：３０＝時点ｔ２ｆ）との間の時間長（本発明における第４の時間長：この例では、４分３０秒）を演算する。次いで、ＣＰＵ９は、現在時刻に対する装置側時刻の進み（第１の時間長＝時間長Ｔｘｆ＝１２分）が、時刻補正処理の開始時刻（時点ｔ２ｆ）と、直前に実行した測定処理の開始時刻（装置側時刻＝０７：１０）との間の時間長（第４の時間長＝４分３０秒）よりも長いと判別し、装置側時刻の進み（第１の時間長：この例では、１２分）を上記の第４の時間長（４分３０秒）で除して小数点以下を切り上げることで、時刻補正処理の実行回数を３回と演算する（本発明における「求められたＭ回」が「３回」の例）。また、ＣＰＵ９は、３回の時刻補正処理によって１２分の進みを補正するために、１回の時刻補正処理においてＲＴＣ８の時刻を遅らせる（補正する）時間長（本発明における第５の時間長）を４分（１２分／３回）と規定する。
【００４７】
また、ＣＰＵ９は、ＲＴＣ８からの計時信号Ｓ１に基づき、装置側時刻が０７：１４：３０となった時点ｔ２ｆ（次回の測定処理の開始時刻の３０秒前）において、ＲＴＣ８を制御して装置側時刻を０７：１０：３０に補正させる（Ｍ＝３回の時刻補正処理のうちの最初の１回）。これにより、現在時刻に対する装置側時刻の進みが８分となる。また、ＣＰＵ９は、ＲＴＣ８によって出力される計時信号Ｓ１に基づき、装置側時刻が０７：１５となった時点ｔ３ｆにおいて、タイマトリガ信号Ｓｔｔを出力する。これにより、トリガ信号Ｓｔの出力時点において測定部２から出力されている測定データＤｓがストレージメモリ４に記録される。また、ＣＰＵ９は、ＲＴＣ８からの計時信号Ｓ１に基づき、装置側時刻が０７：１９：３０となった時点ｔ４ｆ（次回の測定処理の開始時刻の３０秒前）において、ＲＴＣ８を制御して装置側時刻を０７：１５：３０に補正させる（Ｍ＝３回の時刻補正処理のうちの２回目）。これにより、現在時刻に対する装置側時刻の進みが４分となる。また、ＣＰＵ９は、ＲＴＣ８によって出力される計時信号Ｓ１に基づき、装置側時刻が０７：２０となった時点ｔ５ｆにおいて、タイマトリガ信号Ｓｔｔを出力する。これにより、トリガ信号Ｓｔの出力時点において測定部２から出力されている測定データＤｓがストレージメモリ４に記録される。
【００４８】
次いで、ＣＰＵ９は、装置側時刻が０７：２４：３０となった時点ｔ６ｆ（次回の測定処理の開始時刻の３０秒前）において、ＲＴＣ８を制御して装置側時刻を０７：２０：３０に補正させる（Ｍ＝３回の時刻補正処理のうちの最後の１回）。これにより、装置側時刻が現在時刻に一致した状態となる。この後、ＣＰＵ９は、補正後のＲＴＣ８によって出力される計時信号Ｓ１に基づき、装置側時刻が０７：２５となった時点ｔ７ｆにおいて、タイマトリガ信号Ｓｔｔを出力する。これにより、トリガ信号Ｓｔの出力時点において測定部２から出力されている測定データＤｓがストレージメモリ４に記録されて、装置側時刻および現在時刻の双方が０７：２５の時点ｔ７ｆにおいて実行すべき測定処理（測定データＤｓの記録処理）が完了する。
【００４９】
このように、この波形記録装置１では、ＣＰＵ９が、現在時刻に対するＲＴＣ８の時刻（装置側時刻）の遅れまたは進みの時間を示す時間長（本発明における第１の時間長）を特定し、ＲＴＣ８（装置側時刻）が第１の時間長だけ遅れているときに時刻補正処理の開始時刻と時刻補正処理の後に実行すべき測定処理の開始時刻との間の時間長（本発明における第２の時間長）未満の時間長（本発明における第３の時間長）だけＲＴＣ８（装置側時刻）を進める処理を本発明における時刻補正処理として第１の時間長が予め規定された時間長以下（この例では、±１０秒の範囲内）となるまで所定回数に亘って実行し、ＲＴＣ８（装置側時刻）が第１の時間長だけ進んでいるときに直前に実行した測定処理の開始時刻と時刻補正処理の開始時刻との間の時間長（本発明における第４の時間長）未満の時間長（本発明における第５の時間長）だけＲＴＣ８（装置側時刻）を遅らせる処理を本発明における時刻補正処理として第１の時間長が予め規定された時間長以下（±１０秒の範囲内）となるまで所定回数に亘って実行する。
【００５０】
したがって、この波形記録装置１によれば、現在時刻に対してＲＴＣ８の時刻が第１の時間長だけ遅れているとき、および現在時刻に対してＲＴＣ８の時刻が第１の時間長だけ進んでいるときのいずれの場合であっても、この第２の時間または第４の時間を超えてＲＴＣ８の時刻が補正されることがないため、従来のリモート装置とは異なり、測定データＤｓ（日報データ）の上書きや、時刻補正処理に先立って測定処理を実行することなく、測定データＤｓの重複や欠落を回避しつつ、ＲＴＣ８の時刻を現在時刻に対する予め規定された時間長以下の時差範囲内（この例では、±１０秒の範囲内）に補正することができる。これにより、この波形記録装置１によれば、測定データＤｓを記録するためのストレージメモリ４に、ブロック単位での読み書きが必要なフラッシュメモリを採用したにも拘わらず、測定データＤｓの記録処理を容易に実行することができる。
【００５１】
また、この波形記録装置１では、ＣＰＵ９が、ＲＴＣ８（装置側時刻）が遅れている状態であって第１の時間長が第２の時間長よりも短いときに第１の時間長を第３の時間長として規定して１回の時刻補正処理によってＲＴＣ８の時刻（装置側時刻）を補正し、ＲＴＣ８（装置側時刻）が進んでいる状態であって第１の時間長が第４の時間長よりも短いときに第１の時間長を第５の時間長として規定して１回の時刻補正処理によってＲＴＣ８の時刻（装置側時刻）を補正し、ＲＴＣ８（装置側時刻）が遅れている状態であって第１の時間長が第２の時間長よりも長いときに第１の時間長を第２の時間長で除して求められるＮ回の時刻補正処理によって装置側時刻を補正可能に第３の時間長を規定してＮ回の時刻補正処理によってＲＴＣ８の時刻（装置側時刻）を順次補正し、ＲＴＣ８（装置側時刻）が進んでいる状態であって第１の時間長が第４の時間長よりも長いときに第１の時間長を第４の時間長で除して求められるＭ回の時刻補正処理によって装置側時刻の時刻を補正可能に第５の時間長を規定してＭ回の時刻補正処理によってＲＴＣ８の時刻（装置側時刻）を順次補正する。
【００５２】
したがって、この波形記録装置１によれば、現在時刻に対してＲＴＣ８の時刻が第１の時間長だけ遅れているとき、および現在時刻に対してＲＴＣ８の時刻が第１の時間長だけ進んでいるときのいずれの場合であっても、第１の時間長に応じた最も少ない回数の時刻補正処理によってＲＴＣ８の時刻を現在時刻に対する予め規定された時間長以下の時差範囲内（この例では、±１０秒の範囲内）に補正することができる。
【００５３】
また、この遠隔監視システム１０によれば、本発明に係る測定装置に相当する波形記録装置１と、時刻補正処理の実行を指示する補正指令信号Ｓ２を波形記録装置１に送信する管理装置１１を備えて、波形記録装置１が、補正指令信号Ｓ２を受信したときに本発明における時刻補正処理を実行することにより、監視システム１０内の複数の波形記録装置１（ＲＴＣ８）を任意のタイミング（例えば、ほぼ同じタイミング）でタイムサーバ１３の時刻に一致させる（予め規定された時刻長以下のずれ量とする）ことができる。
【００５４】
さらに、この遠隔監視システム１０によれば、管理装置１１が、本発明における外部装置として機能して補正指令信号Ｓ２と共に（この例では、補正指令信号Ｓ２に含ませて）本発明における現在時刻情報を波形記録装置１に送信することにより、各波形記録装置１が汎用のタイムサーバ等に接続できない状態であっても、管理装置１１から現在時刻データを取得させて、各波形記録装置１（ＲＴＣ８）の時刻をほぼ同一の時刻に一致させることができる。
【００５５】
なお、本発明は、上記の構成に限定されない。例えば、波形記録装置１が現在時刻よりも進んでいる状態において複数回（Ｎ回またはＭ回）の時刻補正処理によって装置側時刻を現在時刻に一致させる際に、時刻補正処理を１回実行する都度、測定処理を１回実行する事例（時刻補正処理および測定処理を交互に実行する事例：上記の第４の事例および第６の事例）について説明したが、本発明に係る測定装置や測定システムの構成はこれに限定されない。例えば、所定の波形記録装置１に対して上記の第４の事例と同様の動作条件が設定された状態において、図８に示すように、この波形記録装置１に第４の事例と同様の進みが生じている状態において、同図に示す時点ｔ１ｄにおいて管理装置１１から補正指令信号Ｓ２が送信されたときに、時点ｔ２ｄ，ｔ１３ｄにおいて、測定処理を挟むことなく時刻補正処理を２回連続して実行する構成を採用することができる。具体的には、まず、時点ｔ２ｄ（装置側時刻＝０７：０９）において装置側時刻を０７：０６に補正した後に、時点ｔ１３ｄ（１回目の時刻補正処理を実行した後の装置側時刻＝０７：０９）において装置側時刻を再び０７：０６に補正する。これにより、補正指令信号Ｓ２を受信した時点において生じていた６分の進みが補正されて、装置側時刻と現在時刻の双方が０７：１０の時点ｔ１４ｄにおいて、測定処理を実行することができる。
【００５６】
また、装置側時刻の遅れや進みを複数回の時刻補正処理によって補正する際に、各時刻補正処理毎に補正する時間長を等しい時間長に規定する例について説明したが、本発明はこれに限定されず、例えば、６分の遅れを２回の時刻補正処理で補正する際に、最初の時刻補正処理時に装置側時刻を４分進め、２回目の時刻補正処理時に装置側時刻を２分進めるといったように、測定データＤｓの重複や欠落を回避できる限り、各時刻補正処理毎に補正する時間長を変化させる構成を採用することもできる。さらに、ＲＴＣ８（装置側時刻）が遅れている状態であって本発明における第１の時間長が本発明における第２の時間長よりも短いときに第１の時間長を本発明における第３の時間長として規定して１回の時刻補正処理によってＲＴＣ８の時刻を補正する事例（上記の第１の事例）について説明したが、装置側時刻が遅れている状態であって第１の時間長が第２の時間長よりも短いときであっても、複数回の時刻補正処理によってＲＴＣ８の時刻を補正する構成を採用することができる。同様にして、ＲＴＣ８（装置側時刻）が進んでいる状態であって第１の時間長が本発明における第４の時間長よりも短いときに第１の時間長を本発明における第５の時間長として規定して１回の時刻補正処理によってＲＴＣ８の時刻を補正する事例（上記の第２の事例）について説明したが、装置側時刻が進んでいる状態であって第１の時間長が第４の時間長よりも短いときであっても、複数回の時刻補正処理によってＲＴＣ８の時刻を補正する構成を採用することができる。
【００５７】
また、波形記録装置１が管理装置１１から送信された補正指令信号Ｓ２に含まれている現在時刻情報に基づいて装置側時刻（ＲＴＣ８）を補正する構成について説明したが、本発明はこれに限定されず、例えば、管理装置１１から補正指令信号が送信された際に、管理装置１１以外の各種タイムサーバから現在時刻情報を取得して装置側時刻（ＲＴＣ８）を補正する構成を採用することもできる。さらに、管理装置１１が波形記録装置１に対して補正指令信号Ｓ２を送信し、波形記録装置１が補正指令信号Ｓ２を受信したときに本発明における時刻補正処理を開始する構成について説明したが、例えば、波形記録装置１が予め設定された時刻に本発明における時刻補正処理を開始して、管理装置１１におけるタイムサーバ１３や、そのほかの各種タイムサーバから現在時刻情報を取得して装置側時刻を補正する構成を採用することができる。加えて、本発明に係る測定装置を波形記録装置１に適用し、本発明に係る測定システムを監視システム１０に適用した例について上記したが、波形記録装置１以外の各種測定装置や監視システム１０以外の各種測定システムに本発明を適用することができるのは勿論である。
【図面の簡単な説明】
【００５８】
【図１】監視システム１０（波形記録装置１）の構成を示すブロック図である。
【図２】毎時３０分に記録処理を実行するように設定され、かつ、波形記録装置１（ＲＴＣ８）の装置側時刻が管理装置１１（タイムサーバ１３）の現在時刻に対して２分遅れている状態の時刻補正処理について説明するための説明図である。
【図３】毎時３０分に記録処理を実行するように設定され、かつ、波形記録装置１（ＲＴＣ８）の装置側時刻が管理装置１１（タイムサーバ１３）の現在時刻に対して２分進んでいる状態の時刻補正処理について説明するための説明図である。
【図４】５分おきに記録処理を実行するように設定され、かつ、波形記録装置１（ＲＴＣ８）の装置側時刻が管理装置１１（タイムサーバ１３）の現在時刻に対して６分遅れている状態の時刻補正処理について説明するための説明図である。
【図５】５分おきに記録処理を実行するように設定され、かつ、波形記録装置１（ＲＴＣ８）の装置側時刻が管理装置１１（タイムサーバ１３）の現在時刻に対して６分進んでいる状態の時刻補正処理について説明するための説明図である。
【図６】５分おきに記録処理を実行するように設定され、かつ、波形記録装置１（ＲＴＣ８）の装置側時刻が管理装置１１（タイムサーバ１３）の現在時刻に対して１２分遅れている状態の時刻補正処理について説明するための説明図である。
【図７】５分おきに記録処理を実行するように設定され、かつ、波形記録装置１（ＲＴＣ８）の装置側時刻が管理装置１１（タイムサーバ１３）の現在時刻に対して１２分進んでいる状態の時刻補正処理について説明するための説明図である。
【図８】５分おきに記録処理を実行するように設定され、かつ、波形記録装置１（ＲＴＣ８）の装置側時刻が管理装置１１（タイムサーバ１３）の現在時刻に対して６分進んでいる状態の他の時刻補正処理について説明するための説明図である。
【符号の説明】
【００５９】
１  波形記録装置
２  測定部
３  ストレージコントローラ
４  ストレージメモリ
７  通信部
８  ＲＴＣ
９  ＣＰＵ
１０  遠隔監視システム
１１  管理装置
１３  タイムサーバ
１４  制御装置
Ｄｓ  測定データ
Ｎ  ネットワーク
Ｓ１  計時信号
Ｓ２  補正指令信号
Ｓｉ  入力信号
Ｔｘａ〜Ｔｘｆ  時間長
ｔ１ａ〜ｔ３ａ，ｔ１ｂ〜ｔ３ｂ，ｔ１ｃ〜ｔ６ｃ，ｔ１ｄ〜ｔ５ｄ，ｔ１３ｄ，ｔ１４ｄ，ｔ１ｅ〜ｔ８ｅ，ｔ１ｆ〜ｔ７ｆ  時点
【図１】
2009020044.tif 000003
【図２】
2009020044.tif 000004
【図３】
2009020044.tif 000005
【図４】
2009020044.tif 000006
【図５】
2009020044.tif 000007
【図６】
2009020044.tif 000008
【図７】
2009020044.tif 000009
【図８】
2009020044.tif 000010